(57)【要約】【課題】頭皮環境を整えることができるヘアドライヤを実現する。【解決手段】カバー体（３）は、開口部（３１）を有し、使用者の頭部に当該開口部（３１）を対向させて前記頭部の少なくとも一部を覆い、上記頭部に対向する対向面（３１ａ）には、当該頭部の頭皮にＬＥＤ光を照射するＬＥＤ発光部（３４）が複数設けられ、上記対向面（３１ａ）は高反射部材で形成されている。【選択図】図２
2019051017.tif 000002
【特許請求の範囲】
【請求項１】
吸気口及び排気口を有する送風機本体の当該排気口に設けられ、使用者の頭部の一部を覆うカバー体を備え、
上記カバー体は、使用者の頭部の少なくとも一部を覆った状態で当該頭部に対向する対向面に、当該頭部の頭皮にＬＥＤ光を照射するＬＥＤ発光部が設けられると共に、上記対向面は高反射部材で形成されていることを特徴とするヘアドライヤ。
【請求項２】
上記カバー体には、当該カバー体によって使用者の頭部を覆った状態で、当該使用者の頭部を刺激するための頭部刺激体が設けられていることを特徴とする請求項１に記載のヘアドライヤ。
【請求項３】
上記ＬＥＤ発光部から照射されたＬＥＤ光を拡散または収束するためのレンズを備えていることを特徴とする請求項１または２に記載のヘアドライヤ。
【請求項４】
上記ＬＥＤ発光部は複数設けられ、
上記レンズは、上記ＬＥＤ発光部毎に設けられていることを特徴とする請求項３に記載のヘアドライヤ。
【請求項５】
上記レンズは、当該レンズを支持するレンズ支持板に形成され、
上記レンズ支持板は、上記カバー体に着脱自在に設けられていることを特徴とする請求項４に記載のヘアドライヤ。
【請求項６】
上記カバー体は、上記送風機本体から着脱自在に設けられ、当該送風機本体から取り外した状態で、各ＬＥＤ発光部に電力を供給するための電力供給部が設けられていることを特徴とする請求項１〜５の何れか１項に記載のヘアドライヤ。
【請求項７】
上記カバー体と上記送風機本体との接続部は、可撓性を有していることを特徴とする請求項１〜６の何れか１項に記載のヘアドライヤ。
【発明の詳細な説明】
【技術分野】
【０００１】
本発明は、ヘアドライヤに関する。
【背景技術】
【０００２】
頭皮環境を整えるために、赤色ＬＥＤ光を頭皮に照射することが既に知られている（例えば特許文献１）。
【先行技術文献】
【特許文献】
【０００３】
【特許文献１】特許第６１２９３９２号公報（２０１７年４月２１日登録）
【発明の概要】
【発明が解決しようとする課題】
【０００４】
しかしながら、特許文献１は、頭皮環境を整えるために、赤色ＬＥＤ光を頭皮に照射することが有効である点について記載されているものの、頭皮に効率よく赤色ＬＥＤ光を照射する点については開示も示唆もされていない。
【０００５】
本発明の一態様は、上記問題点に鑑みなされたものであって、頭皮に効率よく赤色ＬＥＤ光を照射するヘアドライヤを実現することを目的とする。
【課題を解決するための手段】
【０００６】
上記の課題を解決するために、本発明の一態様に係るヘアドライヤは、吸気口及び排気口を有する送風機本体の当該排気口に設けられ、使用者の頭部の少なくとも一部を覆うカバー体を備え、上記カバー体は、使用者の頭部の少なくとも一部を覆った状態で当該頭部に対向する対向面に、当該頭部の頭皮にＬＥＤ光を照射するＬＥＤ発光部が設けられると共に、上記対向面は高反射部材で形成されていることを特徴としている。
【発明の効果】
【０００７】
本発明の一態様によれば、頭皮に効率よく赤色ＬＥＤ光を照射することができるので、頭皮環境を整えることができる。
【図面の簡単な説明】
【０００８】
【図１】本発明の実施形態１に係るヘアドライヤの側面図である。
【図２】図１に示すヘアドライヤの斜視図である。
【図３】図１に示すヘアドライヤの内部構造を示す側断面図である。
【図４】図１に示すヘヤドライヤのカバー体の内部構造を示す側断面図である。
【図５】図１に示すヘアドライヤのカバー体に設けられたＬＥＤ発光部周辺の側断面図である。
【図６】図１に示すヘアドライヤの使用形態の一例を示す模式図である。
【図７】図１に示すヘアドライヤのカバー体に設けられたＬＥＤ発光部周辺の他の例を示す側断面図である。
【図８】図１に示すヘアドライヤのカバー体に設けられたＬＥＤ発光部周辺の他の例を示す側断面図である。
【図９】本発明の実施形態２に係るヘアドライヤの側面図である。
【図１０】図９に示すヘアドライヤの斜視図である。
【図１１】図９に示すヘアドライヤのカバー体の内部構造を示す側断面図である。
【図１２】図９に示すヘアドライヤのカバー体の使用形態の一例を示す模式図である。
【図１３】本発明の実施形態３に係るヘアドライヤの側面図である。
【図１４】図１３に示すヘアドライヤのカバー体の内部構造を示す側断面図である。
【図１５】頭部刺激体の棒状体の先端部にＬＥＤを設けた例を示す模式図である。
【発明を実施するための形態】
【０００９】
〔実施形態１〕
以下、本発明の実施の形態について、詳細に説明する。
【００１０】
（ヘアドライヤの概要）
図１は、本実施形態に係るヘアドライヤの側面図であり、図２は、図１に示すヘアドライヤの斜視図である。
【００１１】
ヘアドライヤは、図１に示すように、筒状のハウジング１にグリップ２を取り付けた構成になっている。ハウジング１の一端は吸気口１１になっており、他端は排気口１２になっており、ハウジング１の内部は風路になっている。吸気口１１には、網板状の吸気口カバーが取り付けられている。吸気口カバーを通過した空気が吸気口１１からハウジング１内へ吸入される。なお、吸気口１１はハウジング１の側面に設けられていてもよい。グリップ２には、使用者がヘアドライヤを動作させるために操作する操作部２１が設けられている。また、グリップ２には、図示しない電源コードが連結されている。ヘアドライヤは電源コードを介して外部から電力を供給される。また、ヘアドライヤは、使用者の頭皮環境を整えるために、使用者の頭部の少なくとも一部を覆うカバー体３を備える。ヘアドライヤは、カバー体３と、後述するＬＥＤ発光部３４の発光制御を行なう制御部１７とを少なくとも含んでいる。
【００１２】
（ヘアドライヤの内部構造）
図３は、図１に示すドライヤの内部構造を示す側断面図である。
【００１３】
ハウジング１の内部には、図３に示すように、当該ハウジング１の筒長方向に送風する送風機１４が配置されている。図３では送風機１４が軸流ファンである例を示している。送風機１４が動作することによって、外部の空気が吸気口１１から吸入され、ハウジング１の内部を風路として気流が発生し、排気口１２から気流が放出される。送風機１４と排気口１２との間には、空気を加温するヒータ１５が配置されている。例えば、ヒータ１５は、ハウジング１内に配置された支持板に電熱線を巻き付けた構成となっている。ヒータ１５は、ハウジング１内の空気を加温し、排気口１２から放出される気流を温風にする。
【００１４】
ヘアドライヤは、空気中に空気イオン（帯電粒子）を発生させるイオン発生ユニット（帯電粒子発生部）１６を備えている。イオン発生ユニット１６は、ハウジング１内に配置されている。イオン発生ユニット１６は、針状の放電電極と、放電電極の周囲を囲む円環状の誘導電極とを備えている。放電電極と誘電電極との間に電圧が印加されてコロナ放電が発生し、コロナ放電によって放電電極の周囲に空気イオンが発生する。イオン発生ユニット１６は、Ｈ＋（Ｈ２Ｏ）ｍ等の正の空気イオンとＯ２-（Ｈ２Ｏ）ｎ等の負の空気イオンとの両方を発生させるために、放電電極及び誘電電極の組を二組有している。イオン発生ユニット１６は、ハウジング１内の空気中に、正及び負の空気イオンを発生させる。イオン発生ユニット１６が発生させた空気イオンは、ハウジング１内の空気に混入し、空気イオンを含んだ気流が排気口１２から放出される。
【００１５】
ヘアドライヤは、各部分の動作を制御する制御部１７を備えている。制御部１７は、操作部２１、送風機１４、ヒータ１５及びイオン発生ユニット１６に接続されている。制御部１７は、操作部２１が受け付けた使用者からの操作に従って、送風機１４、ヒータ１５及びイオン発生ユニット１６の動作を制御する。
【００１６】
更に、制御部１７は、カバー体３に設けられたＬＥＤ発光部３４の発光制御を行うようになっている。また、制御部１７は、ヒータ１５の動作を禁止している間、送風機１４、イオン発生ユニット１６の動作を禁止してもよい。
【００１７】
（カバー体の構造）
図４は、カバー体３の内部構造を示す側断面図であり、図５は、カバー体３に設けられたＬＥＤ発光部３４周辺の側断面である。
【００１８】
カバー体３は、図４に示すように、開口部３１を有した略筒状であり、当該開口部３１内に風路を構成し、風路内に、使用者の頭部を刺激するための頭部刺激体３３を備えている。頭部刺激体３３は、人の手を模した形状になっている。頭部刺激体３３は、指を模した複数の棒状体３３１を有している。複数の棒状体３３１は、先端を開口部３１を通してカバー体３の外側へ向けて配置されている。頭部刺激体３３は、使用者の頭部Ｈに接触するようになっている。つまり、頭部刺激体３３の各棒状体３３１は、頭部Ｈの頭髪をかき分けて先端が頭皮に接触し、頭皮を刺激する。この様にして、頭部刺激体３３は使用者の頭部を刺激することができる。
【００１９】
また、図４に示すように、カバー体３の開口部３１側の前記頭部Ｈに対向する対向面３１ａには、当該頭部の頭皮にＬＥＤ光を照射するＬＥＤ発光部３４が複数設けられている。ＬＥＤ発光部３４は、例えば図２に示すように、それぞれが、カバー体３の対向面３１ａにおいて、頭部刺激体３３の棒状体３３１によってＬＥＤ光が遮られない位置に設けられている。図２では、ＬＥＤ発光部３４は、８個設けた例を示しているが、ＬＥＤ発光部３４の設ける数は特に限定されるものではない。
【００２０】
ＬＥＤ発光部３４は、図５に示すように、カバー体３の開口部３１の対向面３１ａに設けられた開口３１ｂ内部に設けられたＬＥＤ３４ａを含んでいる。ＬＥＤ３４ａとしては、赤色ＬＥＤ光を発光する赤色ＬＥＤを用いる。この赤色ＬＥＤは、例えば、ピーク波長が６３０ｎｍ〜６６０ｎｍの赤色光を発生させるＬＥＤである。ＬＥＤ３４ａにより発光した赤色ＬＥＤ光は開口３１ｂを通り、頭部刺激体３３の棒状体３３１が接触している頭部Ｈの頭皮に照射される。
【００２１】
カバー体３の対向面３１ａは、高反射部材で形成されている。例えば対向面３１ａを、高反射ＰＣ（ポリカーボネイト）で形成するか、アルミニウム蒸着を行なうことで、高反射機能を実現する。なお、対向面３１ａの高反射機能を実現させる方法としては、高反射ＰＣで形成したり、アルミニウム蒸着を行なったりすることに限定されるものではなく、他の方法であってよい。
【００２２】
（使用例）
図６は、実施形態１に係るヘアドライヤの使用形態例を示す模式図である。使用者は、開口部３１を使用者の頭部に対向させ、カバー体３で頭部の一部を覆うようにして、ヘアドライヤを保持する。このとき、開口部３１は、使用者の頭部Ｈに接触又は近接している。この状態において、カバー体３の開口部３１に設けられた頭部刺激体３３は使用者の頭部Ｈに接触する。特に、頭部刺激体３３の各棒状体３３１は、頭髪をかき分けて先端が頭皮に接触し、頭皮を刺激する。この様にして、頭部刺激体３３は使用者の頭部Ｈを刺激することができる。
【００２３】
また、カバー体３によって、使用者の頭部Ｈを押下する際には、加熱されていない、帯電粒子を含んだ空気が排気口１２から放出され、カバー体３内の風路を通り、使用者の頭部Ｈに当たる。
【００２４】
さらに、カバー体３によって、使用者の頭部Ｈを押下している間、ＬＥＤ発光部３４のＬＥＤ３４ａから赤色ＬＥＤ光が使用者の頭部Ｈの頭皮に照射される。
【００２５】
従って、カバー体３によって、使用者の頭部Ｈを押下し、赤色ＬＥＤ光を発光する際には、加熱されていない、空気イオンを含んだ空気が排気口１２から放出され、カバー体３内の風路を通り、使用者の頭部Ｈに当たる。放出された空気は直ぐには散逸せず、使用者の頭部の一部を覆うカバー体３の内部にある程度の時間滞留する。このため、空気に含まれる空気イオンは、散逸せずにカバー体３の内部に滞留し、使用者の頭部のカバー体３で覆われた部分に集中して作用する。空気イオンが集中して作用することにより、カバー体３で覆われた部分に含まれる頭髪及び頭皮には、従来よりも高密度の空気イオンが作用する。空気イオンがカバー体３の内部に滞留することにより、頭髪及び頭皮に空気イオンが作用する時間が従来よりも長くなる。
【００２６】
また、頭部刺激体３３の複数の棒状体３３１が頭髪をかき分けた状態で空気イオンを含んだ空気が頭部に当たるので、空気イオンが頭髪及び頭皮に効率的に接触し、空気イオンは高い効率で頭髪及び頭皮に作用する。このため、頭髪及び頭皮に対して除電、除菌及び保湿が行われる等、頭髪及び頭皮の環境を整えることができる。また、使用者の頭皮は頭部刺激体３３によって刺激されながら空気イオンが作用することにより、頭皮の環境を整えることが期待される。
【００２７】
さらに、頭部刺激体３３の複数の棒状体３３１が頭髪をかき分けた状態で、ＬＥＤ発光部３４のＬＥＤ３４ａが発光する赤色ＬＥＤ光が頭皮に照射されるため、頭髪及び頭皮の環境を整えることが期待される。
【００２８】
上述したように、カバー体３のＬＥＤ発光部３４のＬＥＤ３４ａが発光する場合、ヒータ１５で空気を加温しないので、加温された空気が排気口１２から放出されることは無い。空気が加温されている場合、加温された空気が使用者の頭部の一部に集中して当たり続けることとなり、空気が当たる面の放熱がしにくい。本実施形態では、カバー体３のＬＥＤ発光部３４のＬＥＤ３４ａが発光する場合では空気は加温されないので、加温されていない空気が使用者の頭部に当たることになり、空気が当たる面の放熱がしやすい。
【００２９】
ここで、ＬＥＤ発光部３４のＬＥＤ３４ａによる赤色ＬＥＤ光は、明るければ明るいほど頭皮環境を整えるので、上述したように、カバー体３の開口部３１の対向面３１ａは高反射部材で形成されている。これにより、ＬＥＤ３４ａから直接照射される光と、ＬＥＤ３４ａから照射された光が対向面３１ａの高反射部材にて反射された光とが頭部Ｈの頭皮に照射されることになるので、頭部Ｈの頭皮には高照度の赤色ＬＥＤ光が照射されることになる。
【００３０】
さらに、頭皮環境を整えるために、赤色ＬＥＤ光を頭皮の広範囲に照射したり、頭皮のある一点に高照射強度で照射したりすることが求められる。これを実現するために、カバー体３の開口部３１に形成された開口３１ｂに凸レンズまたは凹レンズを装着することが考えられる。
【００３１】
（レンズ）
例えば図７の（ａ）に示すように、カバー体３の対向面３１ａに形成された各開口３１ｂに凸レンズ３５をそれぞれ嵌め込むことで、頭皮のある一点に高照射強度の赤色ＬＥＤ光を照射することが実現できる。
【００３２】
また、図７の（ｂ）に示すように、カバー体３の対向面３１ａに形成された各開口３１ｂに凹レンズ３６をそれぞれ嵌め込むことで、頭皮の広範囲を照射することが実現できる。
【００３３】
また、レンズ（凸レンズ３５、凹レンズ３６）は、ＬＥＤ発光部３４毎に設けられていればよく、凸レンズ３５のみまたは凹レンズ３６のみを開口３１ｂに嵌め込んでもよいし、凸レンズ３５、凹レンズ３６を混ぜて開口３１ｂに嵌め込んでもよい。
【００３４】
このように、レンズ（凸レンズ３５、凹レンズ３６）がＬＥＤ発光部３４毎に設けられていることで、ＬＥＤ発光部３４毎に赤色ＬＥＤ光を拡散させたり、収束させたりすることが可能となる。これにより、赤色ＬＥＤ光の照射範囲を、使用者の頭皮環境に応じて適宜設定することができる。つまり、頭皮の一部は広範囲にＬＥＤ光を照射し、頭皮の一部は狭範囲（ある一点）にＬＥＤ光を照射することができる。例えば頭部Ｈの頭皮の一部を集中して赤色ＬＥＤ光を照射したいときには、対応する箇所の開口３１ｂには凸レンズ３５を嵌め込み、残りの部分は広範囲に赤色ＬＥＤ光を照射したいときには、対応する箇所の開口３１ｂに凹レンズ３６を嵌め込むようにすればよい。このように、用途に合わせて凸レンズ３５、凹レンズ３６の数及び嵌め込む位置を設定すればよい。
【００３５】
図７の（ａ）（ｂ）に示すように、各開口３１ｂに凸レンズ３５、凹レンズ３６をそれぞれ嵌め込んでしまうと、レンズの着脱が難しい。このため、図７の（ａ）（ｂ）に示す場合には、使用者の使用目的別にカバー体３を準備する必要がある。つまり、凸レンズ３５を装着したカバー体３、凹レンズ３６を装着したカバー体３のように分けることになる。
【００３６】
そこで、例えば図８の（ａ）に示すように、凸レンズ３５１ａを一体的に形成した透明な樹脂からなる第１支持板（レンズ支持板）３５１を用いることが考えられる。凸レンズ３５１ａは、第１支持板３５１を対向面３１ａに接触させたときに、開口３１ｂに対応する位置にくるように形成されている。
【００３７】
また、図８の（ｂ）に示すように、凹レンズ３６１ａを一体的に形成した透明な樹脂からなる第２支持板（レンズ支持板）３６１を用いることが考えられる。凹レンズ３６１ａは、第２支持板３６１を対向面３１ａに接触させたときに、開口３１ｂに対応する位置にくるように形成されている。
【００３８】
第１支持板３５１および第２支持板３６１は、対向面３１ａに対して着脱自在となっている。これにより、使用者の使用目的別にカバー体３を準備することなく、一つのカバー体３に対して、第１支持板３５１または第２支持板３６１の何れかを装着することで、使用者の使用目的を達成することが可能となる。つまり、頭皮のある一点に高照射強度の赤色ＬＥＤ光を照射する場合には、第１支持板３５１をカバー体３に装着すればよいし、頭皮の広範囲を照射する場合には、第２支持板３６１をカバー体３に装着すればよい。
【００３９】
また、レンズ支持板（第１支持板３５１、第２支持板３６１）には、それぞれ凸レンズ３５１ａのみを形成したり、凹レンズ３６１ａのみを形成してもよいし、凸レンズ３５１ａ、凹レンズ３６１ａを混ぜて形成してもよい。この場合も、上述したように、赤色ＬＥＤ光の照射範囲を、使用者の頭皮環境に応じて適宜設定することができる。つまり、頭皮の一部は広範囲にＬＥＤ光を照射し、頭皮の一部は狭範囲（ある一点）にＬＥＤ光を照射することができる。例えば頭部Ｈの頭皮の一部を集中して赤色ＬＥＤ光を照射したいときには、対応する箇所の開口３１ｂに対向する凸レンズ３５１ａを形成し、残りの部分は広範囲に赤色ＬＥＤ光を照射したいときには、対応する箇所の開口３１ｂに対応する凹レンズ３６１ａを形成すればよい。このように、用途に合わせて凸レンズ３５１ａ、凹レンズ３６１ａ数及び開口３１ｂに対向する位置に形成すればよい。
【００４０】
なお、本実施形態では、図６に示すように、使用者は、カバー体３を、ハウジング１に装着した状態で使用者していたが、以下の実施形態では、カバー体３単体で使用する例について説明する。
【００４１】
〔実施形態２〕
本発明の他の実施形態について、説明すれば、以下のとおりである。なお、説明の便宜上、前記実施形態にて説明した部材と同じ機能を有する部材については、同じ符号を付記し、その説明を省略する。
【００４２】
（ヘアドライヤの概要）
図９は、カバー体３をハウジング１から分離した状態のヘアドライヤの側面図である。図１０は、カバー体３をハウジング１から分離した状態のヘアドライヤの斜視図である。
【００４３】
カバー体３は、図９に示すように、ハウジング１に対して着脱可能な構造となっている。カバー体３の風路の一端は、当該カバー体３がハウジング１に装着される際に排気口１２に連結される連結口３２になっている。カバー体３の風路の他端は、排気口１２よりも大きい開口部３１になっている。カバー体３がハウジング１に装着された状態では、排気口１２から放出された空気は、カバー体３内の風路を通り、開口部３１から放出される。
【００４４】
ヘアドライヤは、図４に示すように、カバー体３がハウジング１に装着された場合に押下される押下スイッチ１３を備えている。押下スイッチ１３は、ハウジング１に装着されるカバー体３に対向する位置に配置されている。押下スイッチ１３は、カバー体３がハウジング１に装着された場合に押下された状態になっており、カバー体３が装着されていない場合は押下されていない状態になる。押下スイッチ１３は、上述した制御部１７に接続されている。制御部１７は、押下スイッチ１３が押下されている場合に、ヒータ１５の動作を禁止する。また、制御部１７は、押下スイッチ１３が押下されていない場合に、ヒータ１５の動作を可能にする。この様に、ヘアドライヤは、カバー体３がハウジング１に装着された状態ではヒータ１５で空気を加温しないようになっている。
【００４５】
さらに、カバー体３がハウジング１に装着され、押下スイッチ１３が押下された場合、ハウジング１内部から当該カバー体３のＬＥＤ発光部３４に電力を供給するようになっている。
【００４６】
（カバー体の構造）
図１１は、カバー体３の内部構造を示す側断面図である。
【００４７】
ハウジング１には、図１１に示すように、送電部（電力供給部）５０が設けられ、カバー体３には、受電部５１が設けられている。カバー体３は、ハウジング１に装着されているときには、当該ハウジング１の送電部５０からの電力を受電部（電力供給部）５１で受けて、ＬＥＤ発光部３４を駆動させる。また、カバー体３は、ハウジング１から取り外されると、受電部５１が外部の電源から電力を受けて、ＬＥＤ発光部３４を駆動させる。ここで、受電部５１は、ＡＣアダプターを接続するための端子や、ＵＳＢ（登録商標）端子等を備え、ＡＣアダプターを介して、またはＵＳＢ（登録商標）ケーブルを介して外部から電力を受電する。
【００４８】
また、カバー体３は、蓄電池を備え、ハウジング１から取り外されたときに、当該蓄電池からの電力にてＬＥＤ発光部３４を駆動するようにしてもよい。
【００４９】
（使用例）
図１２は、実施形態２に係るカバー体３の使用形態例を示す模式図である。使用者は、カバー体３の開口部３１を使用者の頭部に対向させ、カバー体３で頭部の一部を覆うようにして、頭部刺激体３３によって使用者の頭部Ｈを刺激するとともに、ＬＥＤ発光部３４のＬＥＤ３４ａから赤色ＬＥＤ光が使用者の頭部Ｈの頭皮に照射させる。
【００５０】
この場合、実施形態１のように、ヘアドラヤの一部としてカバー体３を使用していないため、空気イオンを頭皮に吹き付けることができないものの、ハウジング１が無く、カバー体３単体を操作しているので、ＬＥＤ発光部３４による頭皮への赤色ＬＥＤ光の照射を行なう際に、使用者の負担を軽減できる。つまり、頭皮環境を整えるためには、赤色ＬＥＤ光の照射時間（例えば２０分）を確保する必要があるので、カバー体３単体でＬＥＤ発光部３４を発光させることができれば、ヘアドライヤの重量を軽減できるので、使用者の負担を軽減できる。
【００５１】
また、カバー体３単体では、ハウジング１内のヒータ１５で加熱された空気も放出されることがないので、当該カバー体３を用いた頭皮環境を整えている使用者の頭部の空気が当たる面の放熱がしやすい。
【００５２】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００５３】
（ヘアドライヤの概要）
図１３は、本実施形態に係るヘアドライヤの側面図である。
【００５４】
ヘアドライヤは、図１３に示すように、前記実施形態１のヘアドライヤと相違するのは、カバー体３とハウジング１とを接続する接続部品６０が可撓性を有している点である。
【００５５】
（カバー体の構造）
図１４は、カバー体３の内部構造を示す側断面図である。
【００５６】
接続部品６０としては、例えば図１４に示すように、蛇腹パイプ形状が好ましい。このように、カバー体３とハウジング１とを接続する接続部品６０が可撓性を有していることで、当該カバー体３を使用者の頭部Ｈに当てたときに、接続部品６０の可撓性によって、当該カバー体３がハウジング１に対して傾倒するので、頭部Ｈの形状に合わせて頭部刺激体３３を当てやすくなくなる。そして、カバー体３の頭部刺激体３３が必要以上に強い力で使用者の頭部に押し付けられた場合でも、押し付ける力は接続部品６０に吸収され、頭部には適度な刺激が与えられる。しかも、頭部刺激体３３による頭部Ｈへの適度な刺激に加えて、ＬＥＤ発光部３４による赤色ＬＥＤ光が頭皮に照射されるので、頭皮環境を整えることができる。
【００５７】
なお、カバー体３の傾倒状態を維持できるようにしてもよい。この場合、パイプ部分が金属からなる蛇腹パイプや、塩化ビニルのパイプの中に針金が含まれた蛇腹パイプ等が好ましい。
【００５８】
また、接続部品６０としては、蛇腹パイプの他に、シリコン樹脂の成型体を用いてもよい。
【００５９】
〔変形例〕
前記実施形態１〜３において、ＬＥＤ発光部３４では、カバー体３の対向面３１ａにＬＥＤ３４ａを設けた例について説明したが、これに限定されるものではなく、例えば図１５に示すように、ＬＥＤ３４ａを頭部刺激体３３の棒状体３３１の先端に設けてもよい。
【００６０】
この場合、棒状体３３１の頭皮に一番近い側にＬＥＤ３４ａを設け、当該ＬＥＤ発光部３４に電力を供給するための送電経路３４ｂを当該棒状体３３１内に埋め込む。この送電経路３４ｂは、前述したカバー体３に設けられた受電部５１からの電力をＬＥＤ３４ａに供給するようになっている。
【００６１】
これにより、頭部刺激体３３による頭部Ｈへの刺激と同時に赤色ＬＥＤ光を頭皮に対して至近距離で照射することができるので、頭皮環境をよりよく整えることができる。
【００６２】
〔まとめ〕
本発明の態様１に係るヘアドライヤは、吸気口１１及び排気口１２を有する送風機１４本体の当該排気口１２に設けられ、使用者の頭部Ｈの少なくとも一部を覆うカバー体３を備え、上記カバー体３は、使用者の頭部Ｈの一部を覆った状態で当該頭部Ｈに対向する対向面３１ａに、当該頭部Ｈの頭皮にＬＥＤ光を照射するＬＥＤ発光部３４が設けられると共に、上記対向面３１ａは高反射部材で形成されていることを特徴としている。
【００６３】
上記構成によれば、カバー体に設けられたＬＥＤ発光部から照射されたＬＥＤ光は、直接使用者の頭皮に向かって照射される光と、当該カバー体の高反射部材で形成された対向面にて反射された光とが使用者の頭皮に照射される。つまり、使用者の頭皮には、照度の高いＬＥＤ光を照射することが可能となる。このように、高照度のＬＥＤ光を使用者の頭皮に照射することで、ＬＥＤ光による頭皮環境をより整えることが可能となる。
【００６４】
しかも、送風機本体の排気口から帯電粒子を含む空気を放出すれば、放出された空気はカバー体内に滞留する。これにより、空気に含まれる帯電粒子は、使用者の頭部のカバー体で覆われた部分に集中して作用するので、頭皮環境を整えることが可能となる。
【００６５】
従って、上記構成のヘアドライヤによれば、頭皮に効率よく赤色ＬＥＤ光を照射することができるので、頭皮環境を整えることができる。
【００６６】
本発明の態様２に係るヘアドライヤは、上記態様１において、上記カバー体３には、当該カバー体３によって使用者の頭部Ｈを覆った状態で、当該使用者の頭部Ｈを刺激するための頭部刺激体３３が設けられていてもよい。
【００６７】
上記の構成によれば、使用者の頭部がカバー体で覆われるとき、頭部刺激体の棒状体が頭髪をかき分けて頭皮を刺激すると同時に、ＬＥＤ光も頭皮に照射されるので、頭皮環境をさらに整えることが可能となる。
【００６８】
本発明の態様３に係るヘアドライヤは、上記態様１または２において、上記ＬＥＤ発光部３４から照射されたＬＥＤ光を拡散または収束するためのレンズ（凸レンズ３５、凹レンズ３６）を備えていてもよい。
【００６９】
上記構成によれば、上記レンズを備えていることで、ＬＥＤ発光部から照射されるＬＥＤ光を拡散させることで、頭皮に対して広範囲にＬＥＤ光を照射することが可能となり、また、ＬＥＤ発光部から照射されるＬＥＤ光を収束させることで、頭皮に対してある一点にＬＥＤ光を照射することが可能となる。つまり、光を拡散するレンズ（凹レンズ）または光を収束するレンズ（凸レンズ）の何れかを用いることで、使用者が好む範囲にＬＥＤ光を照射することが可能となる。
【００７０】
本発明の態様４に係るヘアドライヤは、上記態様３において、上記ＬＥＤ発光部３４は複数設けられ、上記レンズ（凸レンズ３５、凹レンズ３６）は、上記ＬＥＤ発光部３４毎に設けられていてもよい。
【００７１】
上記構成によれば、レンズがＬＥＤ発光部毎に設けられていることで、ＬＥＤ発光部毎にＬＥＤ光を拡散させたり、収束させたりすることが可能となる。これにより、ＬＥＤ光の照射範囲を、使用者の頭皮環境に応じて適宜設定することができる。つまり、頭皮の一部は広範囲にＬＥＤ光を照射し、頭皮の一部は狭範囲（ある一点）にＬＥＤ光を照射することができる。
【００７２】
本発明の態様５に係るヘアドライヤは、上記態様４において、上記レンズ（凸レンズ３５１ａ、凹レンズ３６１ａ）は、当該レンズを支持するレンズ支持板（第１支持板３５１、第２支持板３６１）に形成され、上記レンズ支持板（第１支持板３５１、第２支持板３６１）は、上記カバー体３に着脱自在に設けられていてもよい。
【００７３】
上記構成によれば、レンズが形成されたレンズ支持板がカバー体に着脱自在に設けられていることで、使用者は容易に機能の異なるレンズを取り替えることができる。例えば、凸レンズを支持した凸レンズ支持板と、凹レンズを支持した凹レンズ支持板とを用意し、広範囲にＬＥＤ光を照射する場合には、凹レンズ支持板をカバー体に装着し、狭範囲（ある一点）にＬＥＤ光を照射する場合には、凸レンズ支持板をカバー体に装着する。
【００７４】
なお、レンズ支持板は、凸レンズのみを支持したり、凹レンズのみを支持したりしてもよいし、凸レンズ、凹レンズを混ぜて支持してもよい。
【００７５】
本発明の態様６に係るヘアドライヤは、上記態様１〜５の何れか１態様において、上記カバー体３は、上記送風機１４本体から着脱自在に設けられ、当該送風機１４本体から取り外した状態で、各ＬＥＤ発光部３４に電力を供給するための電力供給部（受電部５１）が設けられていてもよい。
【００７６】
上記構成によれば、カバー体を送風機本体から取り外した状態で、使用者の頭部に当てて、ＬＥＤ発光部にＬＥＤ光を照射させることが可能となる。これにより、カバー体を送風機本体に装着した状態で使用する場合に比べて、重量が軽くなり、ＬＥＤ光を照射する際の使用者の負担を軽減することができる。
【００７７】
本発明の態様７に係るヘアドライヤは、上記態様１〜６の何れか１態様において、上記カバー体３と上記送風機１４本体との接続部（接続部品６０）は、可撓性を有していてもよい。
【００７８】
上記構成によれば、カバー体と送風機本体との接続部が可撓性を有していることで、頭部に形を問わず、好みの角度で頭皮へＬＥＤ光を照射することが可能となる。また、好みの角度で帯電粒子を含んだ空気を頭皮に吹き付けることが可能となる。これにより、頭皮環境を整えることができる。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８０】
１  ハウジング
２  グリップ
３  カバー体
１１  吸気口
１２  排気口
１３  押下スイッチ
１４  送風機
１５  ヒータ
１６  イオン発生ユニット
１７  制御部
２１  操作部
３１  開口部
３１ａ  対向面
３１ｂ  開口
３２  連結口
３３  頭部刺激体
３４  ＬＥＤ発光部
３４ａ  ＬＥＤ
３５  凸レンズ
３６  凹レンズ
５０  送電部（電力供給部）
５１  受電部（電力供給部）
６０  接続部品（接続部）
３３１  棒状体
３５１  第１支持板（レンズ支持板）
３５１ａ  凸レンズ
３６１  第２支持板（レンズ支持板）
３６１ａ  凹レンズ
【図１】
2019051017.tif 000003
【図２】
2019051017.tif 000004
【図３】
2019051017.tif 000005
【図４】
2019051017.tif 000006
【図５】
2019051017.tif 000007
【図６】
2019051017.tif 000008
【図７】
2019051017.tif 000009
【図８】
2019051017.tif 000010
【図９】
2019051017.tif 000011
【図１０】
2019051017.tif 000012
【図１１】
2019051017.tif 000013
【図１２】
2019051017.tif 000014
【図１３】
2019051017.tif 000015
【図１４】
2019051017.tif 000016
【図１５】
2019051017.tif 000017